(57)【特許請求の範囲】
【請求項１】
床の所定位置に設置したベース部材と、前記ベース部材から上方に延びるポールと、２本の前記ポールの上端側に係合することでほぼ水平状態に支持されるフレーム部材との組み合わせから成る共有空間構造体であって、３本の前記ポールと、２本の上面視直線状をなす前記フレーム部材と、１本の上面視曲線状をなす前記フレーム部材とで構成され、前記ポールの上下方向に連続して外方に開口するように係止片が形成された複数の嵌合溝部の一つに、頭部が前記ポールの上端部と係合するまで挿入される上下方向に所定長さを有する受け部材と、前記フレーム部材の端部に取り付けられた止着部材とが、ボルトのネジ作用により該受け部材と止着部材が近接するようにして前記係止片を挟持してなる最小共有空間構造体を少なくとも１つ以上有することを特徴とする共有空間構造体。
【請求項２】
隣り合う前記最小共有空間構造体がポールあるいはポ−ルとフレーム部材を共用しているものを含む請求項１に記載の共有空間構造体。
【請求項３】
相互に離れた前記最小共有空間構造体が連結フレーム部材によって連接しているものを含む請求項１に記載の共有空間構造体。
【請求項４】
前記曲線状をなすフレーム部材は、連繋部材により接続されている請求項１ないし３のいずれかに記載の共有空間構造体。
【請求項５】
前記最小共有空間構造体の前記２本の直線状をなすフレーム部材は、その長さが同一で、該両フレーム部材のつくる内角が直角となるように構成され、かつ前記１本の曲線状をなすフレーム部材は、前記直線状をなすフレーム部材の長さを曲率半径とする円弧で構成されている請求項１ないし４のいずれかに記載の共有空間構造体。
【請求項６】
前記最小共有空間構造体は、上面視半円形又は３／４円形又は円形となるように連設してなる請求項５に記載の共有空間構造体。
【請求項７】
前記ポールは、その中心部近傍が前記ポールによって支持されるテーブルを備えている請求項１ないし６のいずれかに記載の共有空間構造体。
【発明の詳細な説明】
【０００１】
【発明の属する技術分野】
本発明は、オフィスルームやパピリヨン等の比較的広い空間体において、人と人とが自由にふれ合うことのできるオープンな空間部を有する構造体に関する。
【０００２】
【従来の技術】
近年、オフィス等のオープン化を図り、コミュニケーションを活発化させるということが唱えられ初められているが、オフィスルームやパピリヨン等の比較的広い空間体を仕切って多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等を構築する場合は、一般に、天井から床まで柱を立てて、柱の間を壁で覆うようにして部屋を造るようにしたもの、或いはパーティションにより空間を間仕切り所要のスペースを得るようにしたもの等が従来知られている。
【０００３】
【発明が解決しようとする課題】
しかしながら、上記したいずれのものも、壁やパーティションにより所要空間を画定するようになっているために、所要目的のために構築した空間構造体がそれ以外の外部空間と部分的にしか開放されていないような関係で連接するものであるから、オフィス等のオープン化によるコミュニケーションの活発化という目的を達成するための完全に解放された空間構造体とはなっていなかった。その上、柱と壁により部屋を造るようにした前者のスペース構築手段は、堅固なスペースはできるが、床や天井が取付けのために部分的に損傷する恐れがあった。また、パーティションにより間仕切りする後者のスペース構築手段は、平面的な仕切を垂直に立てただけであるから外力に対し極めて不安定であり、スペースの外郭をしっかりと保持することができない欠点を有していた。
【０００４】
本発明は、このような状況に鑑みてなされたもので、オフィス等のオープン化を図るために、所要目的のために構築した空間構造体が、それ以外の外部空間と充分開放された関係で連接している構造体（以下このような空間構造体を「共有空間構造体」と定義する。）であって、ポールとフレーム部材の組み合わせにより種々の形を取りうる堅牢で、かつ部屋のどこにも損傷を与えない共有空間構造体を提供することを目的とする。
【０００５】
【課題を解決するための手段】
上記課題を解決するために、本発明の共有空間構造体は、床の所定位置に設置したベース部材と、前記ベース部材から上方に延びるポールと、２本の前記ポールの上端側に係合することでほぼ水平状態に支持されるフレーム部材との組み合わせから成る共有空間構造体であって、３本の前記ポールと、２本の上面視直線状をなす前記フレーム部材と、１本の上面視曲線状をなす前記フレーム部材とで構成され、前記ポールの上下方向に連続して外方に開口するように係止片が形成された複数の嵌合溝部の一つに、頭部が前記ポールの上端部と係合するまで挿入される上下方向に所定長さを有する受け部材と、前記フレーム部材の端部に取り付けられた止着部材とが、ボルトのネジ作用により該受け部材と止着部材が近接するようにして前記係止片を挟持してなる最小共有空間構造体を少なくとも１つ以上有することを特徴としている。
この特徴によれば、３本のポールとフレーム部材を使用するだけで、天井や壁等を傷つけることなく最小共有空間構造体が構築でき、ポールの上部はフレーム部材でしっかり枠組みされているから、構造体自体が移動したり変形したりするようなことがなく堅牢であり、最小共有空間構造体を複数組み合わせることで、所望の形と大きさの共有空間構造体を自由に得ることができる。そして、フレーム部材の内１本が上面視曲線状をなしているので、例えば、外部に向かって凸状の曲線とすれば、柔らかい雰囲気を造り出すだけでなく、やや広い共有空間構造体を提供できる。また、ポールの上下方向に連続して外方に開口するように係止片が形成された複数の嵌合溝部の一つに、頭部が前記ポールの上端部と係合するまで挿入される上下方向に所定長さを有する受け部材と、前記フレーム部材の端部に取り付けられた止着部材とが、ボルトのネジ作用により該受け部材と止着部材が近接するようにして前記係止片を挟持するので、簡単な構造で確実に重量のあるフレーム部材を嵌合溝部の数だけ連結固定でき、かつ種々の形を採り得る組立しやすい最小共有空間構造体を構築できる。
【０００６】
本発明の共有空間構造体は、隣り合う前記最小共有空間構造体がポールやフレーム部材を共用しているものを含むようにすることが好ましい。
このようにすれば、部屋の構造や、オフィスの雰囲気に合わせて変化に富んだ形の共有空間構造体を得ることができる。
【０００７】
本発明の共有空間構造体は、相互に離れた前記最小共有空間構造体が連結フレーム部材によって連接しているものを含むようにすることが好ましい。
このようにすれば、部屋の構造や、オフィスの雰囲気に合わせて変化に富み、広がりのある共有空間構造体を得ることができる。
【０００８】
本発明の共有空間構造体は、前記曲線状をなすフレーム部材が、連繋部材により接続されていることが好ましい。
このようにすれば、曲線状をなすフレーム部材を分割ユニット体として構築できるので、製造が簡略化されコストが抑えられるばかりでなく、保管も楽である。
【０００９】
本発明の共有空間構造体は、前記最小共有空間構造体の前記２本の直線状をなすフレーム部材は、その長さが同一で、該両フレーム部材のつくる内角が直角となるように構成され、かつ前記１本の曲線状をなすフレーム部材は、前記直線状をなすフレーム部材の長さを曲率半径とする円弧で構成されていることが好ましい。
このようにすれば、最小共有空間構造体が上面視１／４円の形状となるので、バランスのとれた安定したユニット体として構築できる。
【００１０】
本発明の共有空間構造体は、前記最小共有空間構造体が、上面視半円形又は３／４円形又は円形となるように連設してなることが好ましい。
このようにすれば、上面視１／４円の最小共有空間構造体を２つ、３つあるいは４つと組み合わせを変えることでバライテーに富んだ形状の共有空間構造体が得られる。
【００１１】
本発明の共有空間構造体は、前記ポールが、その中心部近傍が前記ポールによって支持されるテーブルを備えていることが好ましい。
このようにすれば、ポールを利用して、共有空間構造体内に必要なテーブルを支持させることができる。
【００１２】
【発明の実施の形態】
以下、本発明の実施例を図面に基づいて説明すると、まず図１にはワークスペースとして構築した最小共有空間構造体１の斜視図が示されており、この共有空間構造体１は、ベース部材２と、ポール３と、フレーム部材４が組み合わされて構築されている。この最小共有空間構造体１とは、既に定義したように、３つのベース部材２と３本のポール３ａ、３ｂ、３ｃと３本のフレーム部材４ａ、４ｂ、４ｃから成る空間構造体を最小単位として、それ以外の外部空間と充分開放された関係で構築されている構造体をいう。
【００１３】
２つのフレーム部材４ａ、４ｂは上面視直線状であり、フレーム部材４ａはポール３ａ，３ｂの上端にほぼ水平状態で支持され、フレーム部材４ｂもポール３ｂ，３ｃの上端に同様にほぼ水平状態で支持されている。残りのフレーム部材４ｃは曲線状フレームであって、ポール３ａと３ｃの上端に支持されている。
【００１４】
また、テーブル５がその中心部をポール３ｂの下方で支持されるようにしてて配置され、曲線状フレーム部材４ｃには２本のパネル用支柱が６が吊支されて、そこにパネル７が取り付けられている。
【００１５】
次に、本実施例で使用されている最小共有空間構造体１の具体的な構造について説明すると、図２は、ベース部材２とポール３ａとフレーム部材４ａ及びトップキャップ８の組立分解図であり、ベース部材２は空間構造体の外郭を画定する床９の所定位置に設置され、その底部に設けられた数個のアジャスタ１０の位置調整により床面が多少変形或いは傾斜していてもベース部材２が常に水平状態を維持できるように構成されている。
【００１６】
ポール３ａの基端は、ベース部材２の床９側からポール３ａ側に差し込んだねじ部材２ａによりポール３ａと着脱自在に固定されるようになっている。ポール３ａとベース部材２との結合方法は、これに限定されるものでなく、一般的な、棒材とそれを支える基台との従来公知の結合手段を採用すればよい。ポール３ａの上端は、直線状フレーム部材４ａと着脱自在に固定されている。トップキャップ８はその底部中央に螺合雄ねじ８Ｘを有し、ポール３ａの上部中央に形成されている雌ねじ部３Ｘとネジ結合することにより、ポール３に形成されている溝部１１を覆うようにしてポール３ａに固定される。
【００１７】
図３はポール３の上面図であって、本実施例では円周に外側部が若干拡がった略Ｕ字状の８つの溝部１１が上下方向に延びており、各溝部１１の外方を向く開口１１ａの左右両側に、遊端が互いに向き合って離間する左右の係止片１２により溝部１１の一部が覆われている。
【００１８】
本実施例において溝部１１は円柱状のポールに４５°の等間隔で８個形成してあるものを使用しているが、溝の数やその方向はフレーム部材４の取付け可能な数量とその取付け方向と関連するので、共有空間構造体の設計者は、構築しようとする共有空間構造体の全体の形状から適宜選定する。また、ポール形状は円柱状と限らず、例えば四角柱状のもので４つの溝部を形成するようにしたものであってもよい。
【００１９】
図４は前記溝部１１の一つと上方から下方に向けて摺動係合できる受け部材１３を示したものであって、図４（ａ）はその側面図であり、図４（ｂ）は受け部材１３の上面図であって頭部１３ａの形状が示されており、図４（ｃ）は図４（ａ）のＡ−Ａ’断面図である。
【００２０】
受け部材１３をポール３に形成した溝部１１の上方より挿入すると、図４（ｃ）で示した受け部材１３の断面略台形状の係合凸部１３ｂがポール３に形成した略Ｕ字状の溝部１１と摺動係合し、図３の仮装線で示したように、溝部１１りも大きい係止頭部１３ａがポール３の上端部と係合した時点で受け部材１３の下方向への移動が停止する。
【００２１】
また、図４（ａ）に示されているように、この受け部材１３には雌ねじ部１３ｃと嵌合穴１３ｄがいずれも２箇所づつ形成されていて、雌ねじ部１３ｃに螺合するボルト１４（図５参照）によって受け部材１３が係止片１２と係合できるようにフレーム部材４の両端に取り付けた止着部材１５に向かって移動する。
【００２２】
図５は止着部材１５の側面図であり、この止着部材１５の一側面側には受け部材１３の嵌合穴１３ｄと嵌合する嵌合突起１５ｄが２箇所に設けられていると共に、受け部材１３の雌ねじ部１３ｃと螺合できるボルト１４を受け入れる貫通孔１５ｃとボルト１４の頭部１４ａの座部１５ｃ’が形成されている。
【００２３】
一方、止着部材１５の嵌合突起１５ｄが形成された側と対向する反対面側にはフレーム部材４と嵌合する柱状突起１５ａが上下２箇所に設けられ、図２に示した直線状フレーム部材４ａを構成するアッパービーム４ａ’とローワビーム４ａ’’の中空部に差し込んで嵌合係止させ、この嵌合結合を更に確実なものとするために、ボルト１６により止着部材１５に設けた貫通孔１５ｂを介して両ビーム４ａ’，４ａ’’の中実部に螺合させている。また、両ビーム４ａ’と４ａ’’は補強のため図２に示す中間材４ｗで溶接されている。
【００２４】
図６はポール３ａに直線状フレーム部材４ａが連結固定された図で、図６（ａ）が側面図、図６（ｂ）は図６（ａ）のＡ−Ａ’断面図である。連結固定方法は、先ず、止着部材１５を両ビーム４ａ’，４ａ’’の両端にボルト１６（図５）により取り付け、受け部材１３の嵌合穴１３ｄを止着部材１５の嵌合突起１５ｄにはめ込んで一体化し、位置設定されている２つのポール３ａ，３ｂ（図１）の上方から直線状フレーム部材４ａの端部に取り付けられている受け部材１３を溝部１１に沿って下方に移動し、受け部材１３の係止頭部１３ａがポール３ａ，３ｂの上端部に係合するまで挿入する。
【００２５】
この状態では、作業員は直線状フレーム部材４ａから手を離しても、このフレーム部材４ａの下方への落下は係止頭部１３ａにより、また、直線状フレーム部材４ａの水平方向の離動は２つのポール３，３によって阻止されているから、次の作業に移行するのが楽である。
【００２６】
次に、ボルト１４を止着部材１５の貫通孔１５ｃに挿入し、ボルト１４の先端部を受け部材１３の雌ねじ部１３ｃに螺合させ、その状態からボルト１４をねじ込んでいけば、受け部材１３は溝部１１内でその回動が阻止されているから、ネジ作用により受け部材１３は図６（ｂ）において図中向かって右方向に、止着部材１５は左方向に移動し、最終的にはポール３ａの溝部１１に形成した係止片１２を受け部材１３と止着部材１５とで挟持することで、直線状フレーム部材４ａがポール３ａと３ｂに確実に連結固定されることになる。
【００２７】
今まで、ポール３と直線状フレーム部材４ａとの連結固定について述べてきたが、ポール３と曲線状フレーム部材４ｃとの連結固定も同じ手法により連結固定することができる。
【００２８】
図１に示す本発明の最小共有空間構造体１の構築のための施工方法について説明すると、先ず最初に、最小共有空間構造体１の外郭を画定する床９の所定位置に３個のベース部材２を、床が多少変形或いは傾斜していても水平度が保てるように図２に示すアジャスタ１０を調節しながら設置する。
【００２９】
次に、３本のポール３ａ〜３ｃの基端を、ベース部材２の床９側からポール側に差し込んだねじ部材２ａによりベース部材２に固定して、３本のポール３ａ〜３ｃを垂直状態に自立させる。なお、ベース部材２とポール３とが予め一体化したものを使用して、垂直状態に自立するようにしてもよい。ポール３ｂのベース２は他のベース部材より大きいが、これはテーブル５を支持するために大型となっているだけで、構造的には他の２つのベース部材２と何等変わるのもではない。
【００３０】
３本のポール３が垂直に自立した後は、両端に受け部材１３を取り付けたフレーム部材４ａ〜４ｃを、位置設定されている２つのポール３の上方から、受け部材１３をポール３に形成した溝部１１と係合させながら、溝部１１よりも大きい係止頭部１３ａがポール３の上端部と当接するまで挿入し、２本のボルト１４を止着部材１５の貫通孔１５ｃに挿入し、ボルト１４の先端部を受け部材１３の雌ねじ部１３ｃに螺合させてねじ込んでいけば、係止片１２が受け部材１３とフレーム部材４の端部に形成されている止着部材１５とで挟持され、フレーム部材４ａ〜４ｃがポール３ａ〜３ｃに確実に連結固定されることになる。
【００３１】
最後に、トップキャップ８を、その底部中央に設けられている螺合雄ねじ８Ｘを、ポール３の上部中央に形成されている雌ねじ部３Ｘとネジ結合させて、ポール３頂部に固定する。このトップキャップ８は溝部１１を上から覆うようになっているから、ポール３とフレーム部材４との連結がゆるんできても、受け部材１３の係止頭部１３ａがトップキャップ８によりおさえられ、フレーム部材４の上方への抜け出しが阻止できる。
【００３２】
その後は、最小共有空間構造体１を組み合わせて所望の形の共有空間構造体を構築していく。図７は隣り合う２つの最小共有空間構造体ＸとＹがポール３ａとポール３ｂを共用すると共にフレーム部材４ａも共用している例を示す斜視図であり、図８は隣り合う４つの最小共有空間構造体Ｘ、Ｙ、Ｗ、Ｚがポール３ｂを中心にして円形に連接した斜視図であり、最小共有空間構造体を構成する直線状のフレーム部材４ａ、４ｂ、４ｂ’、４ｂ”が同一長さで、両フレーム部材４ａと４ｂ、４ａと４ｂ’、４ｂ’と４ｂ”および４ｂ”と４ａのつくる内角が９０度となっている。
【００３３】
従って、図７は曲線状フレーム部材４ｃ、４ｃ’がそれぞれ１／４の円弧となっているので、４つのフレーム部材は上面視で半円形状をなし、また、同様に、図８は曲線状フレーム部材４ｃ、４ｃ’、４ｃ”、４ｃ”’で円を形成することになる。このように最小共有空間構造体を組み合わせることにより、上面視半円形又は３／４円形又は円形となるような共有空間構造体を構築できる。
【００３４】
図９は１本のポールのみを共用して２つの最小共有空間構造体を組み合わせた例を示す斜視図であって、ポール３ｂが共用のポールであり左右に２つの最小共有空間構造体Ｘ、Ｙが向きあっている。
【００３５】
図１０（ａ）は図７に示されている曲線状フレームを中間で連結している連繋部材２０とフレームとの結合状態を示した側面図であり、図１０（ｂ）は図１０（ａ）のＡ−Ａ’断面図である。構造的にはポール３とフレーム４との結合と同じで、連繋部材２０は外周にポールと同じように溝２１が８つ形成され、その溝の２カ所に受け部材２２が挿入され、ボルト２３により曲線状フレーム部材４ｃに取り付けられている止着部材２４と受け部材２２で係止片２５を挟持するように構成されている。そして、連繋部材２０の上下端には螺合部材等を用いてキャップ２６をかぶせる。このような連繋部材２０を用いることにより、曲線状をなすフレーム部材４ｃを分割ユニット体として構築できるので、製造が簡略化され保管も楽である。
【００３６】
図１１は共有空間構造体が連結フレーム部材４Ｙによって連接された例を模式的に示す上面図で、例えば（ａ）〜（ｄ）に示すような各種の組み合わせが考えられる（〇がポールを、太線がフレーム部材を示す）。図１１（ａ）は２つの１／４円の組み合わせ、図１１（ｂ）は２つの半円の組み合わせ、図１１（ｃ）は円と半円の組み合わせ、図１１（ｄ）は１／４円と３／４円の組み合わせである。このように最小共有空間構造体を様々の形で組み合わせることで、部屋の形や広さに対応させて使いやすい共有空間空間構造体を得ることができる。
【００３７】
本発明の共有空間空間構造体は、特に、ポール３に形成されているフレーム部材を支持するための溝部１１が上端から下方に向かって形成されているから、フレーム部材４をポール３の上端から素早く係合或いは或いは上端に向かって離脱させることができ、複雑な形状の共有空間空間構造体の組み合わせであっても、構築、分解に手間取らない。また、ポール３とフレーム部材４の連結は部屋のどこも利用しないので、構築に際し、部屋の一部を損傷したりする恐れはなく、ポール３の上部はフレーム部材４でしっかり枠組みされているから、構造体自体が移動したり変形したりするようなこともない。
【００３８】
以上、本発明の実施例を図面により説明してきたが、具体的な構成はこれら実施例に限られるものではなく、例えば、曲線状フレーム部材４ｃは円弧に限ることなく、連繋部材２０を繋いで複雑な曲線にすることもできる。また、フレーム部材やポールに照明具等を取り付けて共有空間構造体内をより使いやすくすることも本発明の変形例として含まれる。
【００３９】
【発明の効果】
本発明は以下の効果を奏する。
【００４０】
（ａ）請求項１項の発明によれば、３本のポールとフレーム部材を使用するだけで、天井や壁等を傷つけることなく最小共有空間構造体が構築でき、ポールの上部はフレーム部材でしっかり枠組みされているから、構造体自体が移動したり変形したりするようなことがなく堅牢であり、最小共有空間構造体を複数組み合わせることで、所望の形と大きさの共有空間構造体を自由に得ることができる。そして、フレーム部材の内１本が上面視曲線状をなしているので、例えば、外部に向かって凸状の曲線とすれば、柔らかい雰囲気を造り出すだけでなく、やや広い共有空間構造体を提供できる。また、ポールの上下方向に連続して外方に開口するように形成された複数の嵌合溝部の一つに、頭部が前記ポールの上端部と係合するまで挿入される上下方向に所定長さを有する受け部材と、前記フレーム部材の端部に取り付けられた止着部材とが、ボルトのネジ作用により該受け部材と止着部材が近接するようにして前記係止片を挟持するので、簡単な構造で確実に重量のあるフレーム部材を嵌合溝部の数だけ連結固定でき、かつ種々の形を採り得る組立しやすい最小共有空間構造体を構築できる。
【００４１】
（ｂ）請求項２項の発明によれば、部屋の構造や、オフィスの雰囲気に合わせて変化に富んだ形の共有空間構造体を得ることができる。
【００４２】
（ｃ）請求項３項の発明によれば、部屋の構造や、オフィスの雰囲気に合わせて変化に富み、広がりのある共有空間構造体を得ることができる。
【００４３】
（ｄ）請求項４項の発明によれば、曲線状をなすフレーム部材を分割ユニット体として構築できるので、製造が簡略化されコストが抑えられるばかりでなく、保管も楽である。
【００４４】
（ｅ）請求項５項の発明によれば、最小共有空間構造体が上面視１／４円の形状となるので、バランスのとれた安定したユニット体として構築できる。
【００４５】
（ｆ）請求項６項の発明によれば、上面視１／４円の最小共有空間構造体を２つ、３つあるいは４つと組み合わせを変えることでバライテーに富んだ形状の共有空間構造体が得られる。
【００４６】
（ｇ）請求項７項の発明によれば、ポールを利用して、共有空間構造体内に必要なテーブルを支持させることができる。
【図面の簡単な説明】
【図１】本発明の最小共有空間構造体１の斜視図である。
【図２】ベース部材とポールとフレーム部材の組立分解図である。
【図３】ポールの上面図である。
【図４】（ａ）は受け部材の側面図であり、（ｂ）は受け部材の上面図であり、（ｃ）は
（ａ）のＡ−Ａ’断面図である。
【図５】止着部材の側面図である。
【図６】ポールにフレーム部材が連結固定された図で、（ａ）が側面図、（ｂ）が（ａ）のＡ−Ａ’断面図である。
【図７】隣り合う２つの最小共有空間構造体ＸとＹが２つのポールを共用すると共にフレーム部材も共用している例を示す斜視図である。
【図８】隣り合う４つの最小共有空間構造体Ｘ、Ｙ、Ｗ、Ｚがポールを中心にして円形に連接した斜視図である。
【図９】１本のポールのみを共用して２つの最小共有空間構造体を組み合わせた例を示す斜視図である。
【図１０】（ａ）は曲線状フレームを中間で円結している連繋部材とフレームとの結合状態を示した側面図であり、（ｂ）は図１０（ａ）のＡ−Ａ’断面図である。
【図１１】共有空間構造体がフレーム部材によって連接された例を模式的に示す上面図である。
【符号の説明】
１                        最小共有空間構造体
２                        ベース部材
２ａ                      ねじ部材
３                        ポール
３ａ，３ｂ，３ｃ          ３本の各ポール
３Ｘ                      雌ねじ部
４                        フレーム部材
４ａ，４ｂ                直線状フレーム部材
４ｃ                      曲線状フレーム部材
４ａ’                    アッパービーム
４ａ”                    ローワビーム
４ｗ                      中間材
５                        テーブル
６                        パネル用支柱
７                        パネル
８                        トップキャップ
８Ｘ                      螺合雄ねじ
９                        床
１０                      アジャスタ
１１                      溝部
１１ａ                    開口
１２                      係止片
１３                      受け部材
１３ａ                    係止頭部
１３ｂ                    断面略台形状の係合凸部
１３ｃ                    雌ねじ部
１３ｄ                    嵌合穴
１４                      ボルト
１４ａ                    頭部
１５                      止着部材
１５ａ                    柱状突起
１５ｂ                    貫通孔
１５ｃ                    貫通孔
１５ｃ’                  座部
１５ｄ                    嵌合突起
１６                      ボルト
２０                      連繋部材
２１                      溝
２２                      受け部材
２３                      ボルト
２４                      止着部材
２５                      係止片
２６                      キャップ
４Ｙ                      連結フレーム部材
【図１】
0003954357.tif 000002
【図２】
0003954357.tif 000003
【図３】
0003954357.tif 000004
【図４】
0003954357.tif 000005
【図５】
0003954357.tif 000006
【図６】
0003954357.tif 000007
【図７】
0003954357.tif 000008
【図８】
0003954357.tif 000009
【図９】
0003954357.tif 000010
【図１０】
0003954357.tif 000011
【図１１】
0003954357.tif 000012